(57)【要約】【課題】被検眼眼底をフェムト秒パルス赤外レーザー光で照明することにより、１つの波長光源を使用して、眼底上の複数の蛍光剤を個々に照明しそれぞれの蛍光眼底像を得る。【解決手段】蛍光を発する眼底Ｅｒからの光は、被検眼Ｅの虹彩位置を経て対物レンズ２に至り、孔あきミラー１０の開口部を通過し、蛍光波長部分のみ透過する透過用フィルタ１３を経てフォトマルチファイヤ１５で集光され、受光した光量に応じた信号がコンピュータ１６に送られ、画像モニタ１７上に表示される。赤外蛍光を発する眼底Ｅｒからの光は、同様に対物レンズ２、孔あきミラー１０の開口部、蛍光波長部分のみ透過する近赤外透過用フィルタ１８を経てフォトマルチファイヤ１５で集光され、同様に受光した光量に応じた信号がコンピュータ１６に送られ、画像モニタ１７上に表示される。【選択図】        図１
2004159955.tif 000002
【特許請求の範囲】
【請求項１】
蛍光剤を注入して被検眼の眼底を撮影する蛍光眼底観察装置において、被検眼眼底をフェムト秒パルス赤外レーザー光で照明し、眼底上の複数の蛍光剤を独立又は同時に励起する照明手段と、該照明手段により励起された複数の蛍光眼底像を独立又は同時に観察するための観察手段とを有することを特徴とする蛍光眼底観察装置。
【発明の詳細な説明】
【０００１】
【発明の属する技術分野】
本発明は、フェムト秒パルス赤外レーザー光によって励起された蛍光眼底像を観察する蛍光眼底観察装置に関するものである。
【０００２】
【従来の技術】
従来から一般に行われている蛍光撮影法として、可視光によるＦＡＧと近赤外光によるＩＣＧが良く知られており、これらの蛍光撮影を行うためには、可視から近赤外領域にかけて発光領域を有する光源を使用する。
【０００３】
可視光によるＦＡＧを行うには、５００ｎｍ近傍に透過域を有する励起用フィルタと、この励起用フィルタによる励起光により励起された蛍光を透過する透過用フィルタを、それぞれ眼底照明系及び眼底撮影系に配置する。
【０００４】
また、近赤外光によるＩＣＧを行うには、８００ｎｍ近傍に透過域を有する励起用近赤外フィルタと、この励起用近赤外フィルタによる励起光により励起された蛍光を透過する透過用近赤外フィルタを、それぞれ眼底照明系及び眼底撮影系に配置することにより達成される。
【０００５】
一方、別の方法として、５００ｎｍ近傍に発光スペクトルを有するレーザー光源を照明光源として使用し、このレーザー光源により励起された光を透過する透過用フィルタを眼底撮影系に設けたり、８００ｎｍ近傍に発光スペクトルを有するレーザー光を照明光源として使用し、このレーザー光源により励起された光を透過する透過用近赤外フィルタを眼底撮影系に設けたりすることにより達成している。
【０００６】
【発明が解決しようとする課題】
しかしながら上述の従来例においては、蛍光観察撮影と赤外蛍光観察撮影とを同時又は平行して行うことは困難である。
【０００７】
本発明の目的は、上述の問題点を解消し、赤外蛍光観察を同時又は並行して行うことができる蛍光眼底観察装置を提供することにある。
【０００８】
【課題を解決するための手段】
上記目的を達成するための本発明に係る蛍光眼底観察装置は、被検眼眼底をフェムト秒パルス赤外レーザー光で照明し、照明手段により眼底上の複数の蛍光剤を独立又は同時に励起すると、観察手段にとり励起された複数の蛍光眼底像を独立又は同時に観察する。
【０００９】
【発明の実施の形態】
本発明を図示の実施の形態に基づいて詳細に説明する。
図１は本発明の第１の実施の形態を示し、フェムト秒パルス赤外レーザー光源１から被検眼Ｅに対向する対物レンズ２に至る光路には、レンズ３、リング状開口絞り４、レンズ５、第１可動ミラー６、レンズ７、第２可動ミラー８、レンズ９、孔あきミラー１０が配列されている。孔あきミラー１０の後方には、フォーカスレンズ１１、リレーレンズ１２、蛍光波長部分のみ透過するフィルタ１３、リレーレンズ１４、フォトマルチファイヤ１５が配列されている。そして、フォトマルチファイヤ１５の出力はコンピュータ１６を介して画像モニタ１７に接続されている。
【００１０】
フェムト秒パルス赤外レーザー光源１から出力されたレーザー光束は、レンズ３、リング状開口絞り４、レンズ５を経て第１可動ミラー６に至る。更に、レンズ７を介して第２可動ミラー８に至る。ここで、第１可動ミラー６はレーザー光束を紙面に沿って走査し、第２可動ミラー８は紙面に垂直方向に走査する。このことは、２つの可動ミラー６、８によりレーザー光束は光軸と垂直な平面内を走査できることになる。第２可動ミラー８で反射されたレーザー光束はレンズ９、孔あきミラー１０、対物レンズ２を経て被検眼Ｅの虹彩位置に至り、眼底Ｅｒの面を走査する。
【００１１】
ここで、被検者にフェムト秒パルス赤外レーザー光源１の波長の略半分の波長で励起される蛍光剤、例えばフルオレセンナトリウムが肘注されている場合には、被検眼Ｅに流れる蛍光剤は２光子励起され、レーザー光束の集光位置近傍で略緑色の強い蛍光を発する。
【００１２】
蛍光を発する眼底Ｅｒからの光は、被検眼Ｅの虹彩位置を経て対物レンズ２に至り、孔あきミラー１０の開口部を通過する。開口部を通過した光はフォーカスレンズ１１、リレーレンズ１２、蛍光波長部分のみ透過する透過用フィルタ１３、リレーレンズ１４を経てフォトマルチファイヤ１５で集光される。フォトマルチファイヤ１５は受光した光量に応じた信号をコンピュータ１６に送り、画像モニタ１７上に表示する。
【００１３】
次に、被検者にフェムト秒パルス赤外レーザー光の波長に相当する波長で励起される蛍光剤、例えばインドシアニングリーンが肘注されている場合には、被検眼Ｅに流れる蛍光剤は１光子励起され、レーザー光束の集光位置近傍で近赤外の蛍光つまり赤外蛍光を発する。この場合には、フィルタ１３に代えて蛍光波長部分のみを連通する赤外透過用フィルタ１８を光路に挿入されている。
【００１４】
蛍光を発する眼底Ｅｒからの光は、被検眼Ｅの虹彩位置を経て対物レンズ２に至り、孔あきミラー１０の開口部、フォーカスレンズ１１、リレーレンズ１２、蛍光波長部分のみ透過する近赤外透過用フィルタ１８、リレーレンズ１４を経てフォトマルチファイヤ１５で集光される。フォトマルチファイヤ１５は同様に受光した光量に応じた信号をコンピュータ１６に送り、画像モニタ１７上に表示する。
【００１５】
図２は第２の実施の形態を示し、フェムト秒パルス赤外レーザー光源１により眼底Ｅｒを照明する機構は、第１の実施の形態とほぼ同様であるが、第２可動ミラー８の代りに、近赤外光を反射し可視光を透過する可動のダイクロイックミラー２１が使用されている。
【００１６】
そして、ダイクロイックミラー２１の入射方向には、コンデンサレンズ２２、リングスリット２３、コンデンサレンズ２４、タングステンランプ２５が配列されている。また、リレーレンズ１２とフィルタ１３との間に、可視光を透過し近赤外光を反射するダイクロイックミラー２６が挿入され、フォトマルチファイヤ１５の代りに撮像装置２７が配置されている。
【００１７】
更に、ダイクロイックミラー２６の反射方向には、光路に挿脱自在の蛍光波長部分のみを透過する近赤外透過用フィルタ２８、撮影装置２９が配置されている。そして、撮像装置２７、２９の出力は、それぞれ画像表示手段３０、３１に接続されている。
【００１８】
被検者にフェムト秒パルス赤外レーザー光の波長の略半分の波長で励起される蛍光剤が肘注されている場合には、前述のように被検眼Ｅに流れる蛍光剤は２光子励起され、レーザー光束の集光位置近傍で略緑色の強い蛍光を発する。蛍光を発する眼底Ｅｒからの光は被検眼Ｅの虹彩位置を経て対物レンズ２に至り、孔あきミラー１０の開口部を通過する。開口部を通過した光はフォーカスレンズ１１、リレーレンズ１２、可視光を透過し近赤外光を反射するダイクロイックミラー２６、蛍光波長部分のみ透過する透過用フィルタ１３を経て撮像装置２７により撮像され、画像表示手段３０に表示される。
【００１９】
一方、本来の赤外光で照明された眼底像Ｅｒ’は、同様に対物レンズ２、孔あきミラー１０、フォーカスレンズ１１、リレーレンズ１２を通過後に、ダイクロイックミラー２６で反射され、撮像装置２９により撮像され画像表示手段３１に表示される。
【００２０】
次に、被検者にフェムト秒パルス赤外レーザー光の波長に相当する波長で励起される蛍光剤、例えばインドシアニングリーンが肘注されている場合には、前述のように、被検眼Ｅに流れる蛍光剤は１光子励起され、レーザー光束の集光位置近傍で近赤外の赤外蛍光を発する。この場合に、ダイクロイックミラー２７の反射光路には近赤外透過用フィルタ２８が挿入されている。
【００２１】
蛍光を発する眼底Ｅｒからの光は、被検眼Ｅの虹彩位置を経て対物レンズ２に至り、孔あきミラー１０の開口部、フォーカスレンズ１１、リレーレンズ１２を通り、ダイクロイックミラー２６で反射され、近赤外透過用フィルタ２８を経て撮像装置２９で撮像され、画像は画像表示手段３１に表示される。
【００２２】
ここで、ダイクロイックミラー２１への入射方向において、タングステンランプ２５からの光をコンデンサレンズ２４によってリングスリット２３に結像させる。リングスリット２３からの光束は、コンデンサレンズ２２によりダイクロイックミラー２１付近に集光しながら透過し、レンズ９を介して孔あきミラー１０に至る。孔あきミラー１０を反射した照明光は、対物レンズ２により被検眼Ｅの虹彩位置付近に集光し眼底Ｅｒを照明する。
【００２３】
眼底Ｅｒからの光束は被検眼Ｅの虹彩位置を経て、対物レンズ２、孔あきミラー１０の開口部、フォーカスレンズ１１、リレーレンズ１２、ダイクロイックミラー２６、透過用フィルタ１３を経て撮像装置２７により撮像され、画像表示手段３０に表示されるが、透過用フィルタ１３を光路から除去することにより、カラー画像を得ることもできる。
【００２４】
また、図３に示すように、第２の実施の形態において、撮像装置２７、２９で得られた２つの眼底画像Ｅｒ’、Ｅｒ”を１つの画像表示手段３２上に並べて表示することもできる。
【００２５】
本発明の実施の形態をまとめて次に列挙する。
【００２６】
［実施の形態１］  蛍光剤を注入して被検眼の眼底を撮影する蛍光眼底観察装置において、被検眼眼底をフェムト秒パルス赤外レーザー光で照明し、眼底上の複数の蛍光剤を独立又は同時に励起する照明手段と、該照明手段により励起された複数の蛍光眼底像を独立又は同時に観察するための観察手段とを有することを特徴とする蛍光眼底観察装置。
【００２７】
［実施の形態２］  前記複数の蛍光剤は近赤外又はグリーンの蛍光を発する蛍光剤であることを特徴とする実施の形態１に記載の蛍光眼底観察装置。
【００２８】
［実施の形態３］  前記複数の蛍光眼底像はフェムト秒パルス赤外レーザー光による１光子励起又は２光子励起によって得られた蛍光眼底像であることを特徴とする実施の形態１に記載の蛍光眼底観察装置。
【００２９】
［実施の形態４］  前記観察手段は、複数の画像表示手段又は単一の画像表示手段であることを特徴とする実施の形態１に記載の蛍光眼底観察装置。
【００３０】
【発明の効果】
以上説明したように本発明に係る蛍光眼底観察装置は、被検眼眼底をフェムト秒パルス赤外レーザー光で照明することにより、１つの波長光源を使用して、眼底上の複数の蛍光剤を個々に照明しそれぞれの蛍光眼底像を得ることができる。
【００３１】
また、可視、近赤外用の２つの蛍光剤が同時に肘注されている場合に、それらを２つのモニタで同時に観察又は同一モニタ上で並べて観察することができる。
【００３２】
更に、蛍光眼底像とは別個に参照画像として赤外画像やカラー画像などを同時に観察することが可能で、蛍光画像出現までの眼底の様子を観察することも可能であり、観察や診断にも有効であるという効果を奏する。
【図面の簡単な説明】
【図１】第１の実施の形態で２種類の蛍光眼底画像の取得する場合の構成図である。
【図２】第２の実施の形態で蛍光画像と通常照明画像を取得する場合の構成図である。
【図３】第２の実施の形態の変形例として、２つの眼底画像を同一の画像表示手段に表示した状態の説明図である。
【符号の説明】
１  フェムト秒パルス赤外レーザー光源
２  対物レンズ
６、８  可動ミラー
１０  孔あきミラー
１３  フィルタ
１５  フォトマルチファイヤ
１７  画像モニタ
２１  可動ライクロイックミラー
２５  タングステンランプ
２６  ダイクロイックミラー
２７、２９  撮影装置
２８  近赤外透過用フィルタ
３０、３１、３２  画像表示手段
【図１】
2004159955.tif 000003
【図２】
2004159955.tif 000004
【図３】
2004159955.tif 000005